(57)【要約】      （修正有）【課題】すこっぷ三味線に使用する「ばち」であって、すこっぷの匙体を叩くと共にこの表面に沿って滑らせて他の音楽にリズム感のある楽しいテンポを与える栓抜き型すこっぷ三味線用ばちを提供する。【解決手段】すこっぷの匙体に係合してリズム演奏を行う栓抜き型すこっぷ三味線用ばち１００は先端に栓抜き用の孔４を有する先端部１とこれに連設する細長の握体部２とこれに連設する後端部３等とからなり、全体が弧状に形成されている。【選択図】図１
0003166910.tif 000002
【実用新案登録請求の範囲】
【請求項１】
すこっぷの先端部の匙体を叩き及び／又は前記匙体の表面に沿って滑らせて他の音楽に合わせて三味線の如きリズム演奏するために使用される栓抜き型すこっぷ三味線用ばち（撥）であって、該ばちは、栓抜き用の孔を形成する先端部とこれに連設する細長の柄体部と、該柄体部の後端に形成されている後端部とからなることを特徴とする栓抜き型すこっぷ三味線用ばち。
【請求項２】
前記先端部と前記柄体部と前記後端部が全体として弧状に形成されることを特徴とする請求項１又は２に記載の栓抜き型すこっぷ三味線用ばち。
【請求項３】
前記先端部に形成される栓抜き用の孔が薄板体により着脱可能に閉止されることを特徴とする請求項１乃至３のいずれかに記載の栓抜き型すこっぷ三味線用ばち。
【考案の詳細な説明】
【技術分野】
【０００１】
本考案は、栓抜き型のばちですこっぷの匙体を叩き又はこれに沿って滑らせて他の音楽に合わせてリズム演奏をするすこっぷ三味線演奏に使用される栓抜き型すこっぷ三味線用ばちに関する。
【背景技術】
【０００２】
三味線はその弦を弾いて演奏するための「ばち」が使用されている。この「ばち」は各種の形状のものからなるが通常は鉄以外のものが使用されている。なお、「ばち」の言語的意義については「非特許文献」に示されているが、特に栓抜き型のすこっぷ三味線に使用される「ばち」に関する公知技術は出願人の調査によれば見当らない。
【先行技術文献】
【特許文献】
【０００３】
【非特許文献１】日本大百科全書（小学館）（ＹＡＨＯＯ百科事典１／２ページ）
【考案の概要】
【考案が解決しようとする課題】
【０００４】
例えば、じょんから節の如きものは三味線によって勇壮に演奏されている。三味線にはその弦をはじくための「ばち」が使用されている。この三味線による演奏は極めて高度の技術が必要とされ、素人には到底演奏することができない。しかしながら、例えば、この三味線演奏に合わせてこれを補完するか如き演奏方法があれば一層の興奮と喜びを与えることができ、しかも素人でも演奏可能のものであれば極めて望ましい。
すこっぷ三味線は以上のような要請に基づいて開発されたものであり、通常一般に使用されているすこっぷの匙体をすこっぷ用の「ばち」で叩くことによって演奏されるものであり、そのリズムによって三味線音楽に限らず特にリズムの早い音楽の演奏をより素晴らしいものにする効果を上げることが出来ることがわかった。このすこっぷ三味線に使用される「ばち」としては各種のものが考えられるが、本願の出願人は栓抜き状のものを使用することを考案し、独特の効果を上げることができた。即ち、本願考案は以上の要請に基いて考案されたものであり、すこっぷ三味線としての演奏が極めてテンポがよく、かつリズム感をもって行われるようにした栓抜き型すこっぷ三味線用ばちを提供することを目的とする。
【課題を解決するための手段】
【０００５】
本考案は、以上の目的を達成するために、請求項１の考案は、すこっぷの先端部の匙体を叩き及び／又は前記匙体の表面に沿って滑らせて他の音楽に合わせて三味線の如きリズム演奏するために使用される栓抜き型すこっぷ三味線用ばち（撥）であって、該ばちは、栓抜き用の孔を形成する先端部とこれに連設する細長の柄体部と、該柄体部の後端に形成されている後端部とからなることを特徴とする。
【０００６】
また、請求項２の考案は、前記先端部と前記柄体部と前記後端部が全体として弧状に形成されることを特徴とする。
【０００７】
また、請求項３の考案は、前記先端部に形成される栓抜き用の孔が薄板体により着脱可能に閉止されることを特徴とする。
【考案の効果】
【０００８】
本考案の請求項１の栓抜き型すこっぷ三味線用ばちによれば、通常一般的に使用される栓抜きを「ばち」として使用することができ、誰でもが容易にすこっぷ三味線演奏ができ、特にお年寄りや子供に喜ばれ、健康で快適な生活を送ることができる。
【０００９】
また、請求項２の栓抜き型すこっぷ三味線用ばちによれば、「ばち」を弧状に形成することにより「ばち」が安定的に把持され、より優れた演奏を楽に行うことができる。
【００１０】
また、請求項３の栓抜き型すこっぷ三味線用ばちによれば、栓抜きの孔を閉止することにより、ビビリ音的のものが低減され、音感のよい演奏を行うことができる。
【図面の簡単な説明】
【００１１】
【図１】通常の栓抜き状の「ばち」であって弧状に曲げたものを示す斜視図。
【図２】「ばち」として使用される通常の栓抜きを示す平面図。
【図３】本考案の「ばち」を用いたすこっぷ三味線の演奏状態を示す模式図。
【図４】指にリングをはめて演奏する一例を示す部分斜視図。
【考案を実施するための形態】
【００１２】
以下、本考案の栓抜き型すこっぷ三味線用ばちの実施の形態を図面を参照して詳述する。
【実施例１】
【００１３】
図１及び図２は本考案の栓抜き型すこっぷ三味線用ばちの一実施例を示すが、この形態のものが本考案の出願人として愛用されているものである。
栓抜き型すこっぷ三味線用ばち１００は図示のように栓抜き用の孔４を有する先端部１と、この基端側に連設して細長に伸び演奏者の手平に握られる大きさの握体部２と、握体部２の後端に連設される後端部３とからなり、本実施例では全体が鉄材から形成される。また、図１に示すようにこの栓抜き型すこっぷ三味線用ばち１００は全体が弧状に形成されている。この弧状は図３に示すように演奏時において栓抜き型すこっぷ三味線用ばち１００を握った指１４がすこっぷ７の匙体８に当接しないで栓抜き型すこっぷ三味線用ばち１００を円滑に動かすことが出来るようにするためのものであり、この弧状の大きさは任意のものでよい。
図１及び図２には図示されていないが栓抜き用の孔４はラベルにより閉止するものも考案されている。このラベルは演奏時におけるビビリ音をなくすためのものであり、無くてもよい。また、握体部２はイチョウ状先端部１から先細り後端部２に向かって縮寸するものからなるが一定の巾のものでもよい。なお、先細り後端部２には紐連結用の貫通孔５が形成されている。
【実施例２】
【００１４】
図２は単なる栓抜きを示すものであり、このものでも栓抜き型すこっぷ三味線用ばち１００Ａとして適用可能である。
【００１５】
図３は以上の栓抜き型すこっぷ三味線用ばち１００を用いた演奏の状態を示す模式図である。すこっぷ６は図示のように下方に匙体７を有しこれに連結される柄部８と柄部８の先端に設けられている把手部９等とからなる。なお、匙体７には凹部１０が形成されているが、すこっぷ６にはそのすべてのものにこの凹部１０が形成されている。
【００１６】
演奏時には演奏者１１は一方の手の指１２ですこっぷ６の柄部８を握り、他方の手の指１３で栓抜き型すこっぷ三味線用ばち１００を握って演奏を行う。指１２は演奏時には柄部８を上下に移動させて三味線弾きのような動作をする。栓抜き型すこっぷ三味線用ばち１００を匙体７に当て音楽に合わせて栓抜き型すこっぷ三味線用ばち１００で匙体７を叩いたり、匙体７上を滑らせたり凹部１０の部分を叩き滑らせながら演奏を行う。
【００１７】
図４は指１３にリング１４を嵌めたものでこのリング１４で匙体７を叩くことにより、更に別の音を出すことができるが、このリング１４は必ずしも使用する必要はなく、演奏者１２の選択による任意のものでよい。
【００１８】
本考案の栓抜き型すこっぷ三味線用ばち１００等は以上の構造のものからなるが、本考案の栓抜き型すこっぷ三味線用ばち１００等は以上の説明のものに限定されるものではなく、色々の形状の栓抜き機能を有するものが「ばち」として使用されることは勿論である。また、同一技術的範疇のものが適用されることは勿論である。
【産業上の利用可能性】
【００１９】
本考案の栓抜き型すこっぷ三味線用ばち１００は全てのすこっぷに対して適用され、その利用範囲は極めて広く、老人や子供に特に喜ばれ、一般の男女もストレス解消としても役に立ち極めて多くの人々に愛用されることは間違いない。
【符号の説明】
【００２０】
１        先端部
１Ａ      先端部
２        握体部
２Ａ      握体部
３        後端部
３Ａ      後端部
４        栓抜き用の孔
４Ａ      栓抜き用の孔
５        貫通孔
５Ａ      貫通孔
６        すこっぷ
７        匙体
８        柄部
９        把手部
１０      凹部
１１      演奏茶
１２      指
１３      指
１４      リング
１００    栓抜き型すこっぷ三味線用ばち
１００Ａ  栓抜き型すこっぷ三味線用ばち
【図１】
0003166910.tif 000003
【図２】
0003166910.tif 000004
【図３】
0003166910.tif 000005
【図４】
0003166910.tif 000006
【手続補正書】
【提出日】平成23年1月25日(2011.1.25)
【手続補正１】
【補正対象書類名】実用新案登録請求の範囲
【補正対象項目名】請求項２
【補正方法】変更
【補正の内容】
【請求項２】
前記先端部と前記柄体部と前記後端部が全体として弧状に形成されることを特徴とする請求項１に記載の栓抜き型すこっぷ三味線用ばち。
【手続補正２】
【補正対象書類名】実用新案登録請求の範囲
【補正対象項目名】請求項３
【補正方法】変更
【補正の内容】
【請求項３】
前記先端部に形成される栓抜き用の孔が薄板体により着脱可能に閉止されることを特徴とする請求項１又は２のいずれかに記載の栓抜き型すこっぷ三味線用ばち。